(57)【要約】【課題】所望の機能設定のための機能設定画面を容易に遷移表示することができ、作業性を向上することができる操作表示装置、電子機器及び操作表示プログラムを提供する。【解決手段】表示パネル部１０に複数頁に跨って複数の機能項目を切替表示可能に表示させるパネル制御部２０と、表示パネル部１０に設けられたキーワード表示部に機能項目名を文字入力させる文字入力部と、表示パネル部１０に表示可能な複数の機能項目に対応したキーワードを記憶した記憶部１５と、文字入力部で入力された機能項目名と記憶部１５に記憶されたキーワードとを比較して一致若しくは類似する機能を優先付けして選択する検索処理部２４と、表示パネル部１０の表示状態をその機能設定画面に遷移表示させたうえでその機能設定に応じた装置本体機能を制御するシステム制御部２０とを備えている。【選択図】      図２
2008180833.tif 000002
【特許請求の範囲】
【請求項１】
表示パネル部に複数頁に跨って複数の機能項目を切替表示可能に表示させるパネル制御部と、前記表示パネル部に設けられたキーワード表示部に機能項目名を文字入力させる文字入力部と、前記表示パネル部に表示可能な複数の機能項目に対応したキーワードを記憶した記憶部と、前記文字入力部で入力された機能項目名と前記記憶部に記憶されたキーワードとを比較して一致若しくは類似する機能を優先付けして選択する検索処理部と、該検索処理部で一致若しくは類似する機能が存在していた場合に前記表示パネル部の表示状態をその機能設定画面に遷移表示させたうえでその機能設定に応じた装置本体機能を制御するシステム制御部と、を備えていることを特徴とする操作表示装置。
【請求項２】
前記文字入力部は、音声入力部と、該音声入力部に入力された音声を認識してその識別結果を前記キーワード表示部に表示させる音声認識部と、を備えていることを特徴とする請求項１に記載の操作表示装置。
【請求項３】
請求項１又は請求項２に記載の操作表示装置と、該操作表示装置を利用して設定された装置本体機能を実行する動作部と、を備えていることを特徴とする電子機器。
【請求項４】
キーワード表示部を備えた表示パネル部に複数頁に跨って複数の機能項目を切替表示可能に表示させる表示ステップと、利用者によって入力されたキーワードを前記表示パネル部に表示するキーワード表示ステップと、利用者によって確定されたキーワードに対応する機能設定画面が存在するか検索される検索ステップと、確定されたキーワードに対応する機能設定画面が存在していた場合にその機能設定画面を表示する機能設定画面表示ステップと、をコンピュータに実行させることを特徴とする操作表示プログラム。
【発明の詳細な説明】
【技術分野】
【０００１】
本発明は、表示パネル部を利用して機能設定を可能とした操作表示装置、操作表示プログラム及び電子機器に関する。
【背景技術】
【０００２】
従来、各種電子機器を操作する際、その装置本体機能を表示パネル部のタッチパネル機能を利用して設定するものが周知である。
【０００３】
この際、複数のモード等の機能を備えている場合、表示パネル部の表示をタブ形式で分割して表示すると共に、各タブ毎に装置本体機能に応じた複数の機能項目名を表示し、タッチパネル機能を利用して機能項目を選択することで各機能の設定変更を可能としているのが一般的である。
【０００４】
例えば、電子機器としての画像形成装置の分野では、例えば、図７に示すように、タッチパネル機能を備えた表示パネル部１０に、複数のタブ３１〜３５で機能項目を分割した機能設定画面がタブ３１〜３５の選択により切り替え表示可能となるように表示されており、一般的な初期画面（立ち上げ時等）では基本タブ３１を選択した基本画面が表示されている。
【０００５】
ここで、機能設定を行うための機能項目一覧（リスト）を表示させたい場合には、表示パネル部１０のタッチパネル機能を利用して、機能リストタブ３４を選択して機能設定画面を表示させた後、その機能設定画面から所望の機能スイッチを選択することによって所望の機能項目用の機能設定画面を表示することができる。
【０００６】
この際、例えば、「再コピー」モードを利用したい場合、表示パネル部１０の１頁目に表示されているモード選択スイッチ群（図では、４×４の１６項目）に再コピーモードに対応するモード選択スイッチが存在していないため、次画面キー４０を選択して次画面を表示させた後に「再コピー」モードをキー選択し、その「再コピー」モード用の機能設定画面を表示パネル部１０に表示させる。
【０００７】
また、このような各種電子機器を操作する際、ハンズフリーや操作内容理解等の操作性の向上を目的として、音声を利用したものが知られている。また、このような音声を利用した電子機器としては、音声ガイダンスにより操作を案内するもの（例えば、特許文献１参照）や、音声入力により操作を可能としたもの（例えば、特許文献２，３参照）に大別される。
【０００８】
この際、音声ガイダンスにより操作を案内するものとしては、画像形成装置や車両用ナビゲーションシステム等のように、機能項目が複雑化している場合の操作性の向上を目的としている。
【０００９】
例えば、機器の操作者が迷っているかどうかを、最初のキー入力からの時間を計測して一定時間が過ぎると迷っていると判断して音声ガイダンスを始める。また、視覚障害者の操作者のために最初から音声ガイダンスを始める音声ガイダンスのＯＮ／ＯＦＦキーを設けている（特許文献１参照）。
【００１０】
一方、音声入力により操作を可能としたものとしては、ナビゲーション装置の操作を指示する言葉としては、例えば“目的地”“出発地”“経由地”“自宅”等の表示位置を表示する言葉や、“今何時”“今どこ”“速度は”“一覧表”（認識できる指令の一覧表をディスプレイに表示させるための指令）等の各種操作指令を行う言葉の文字コードと、その言葉に対応する音韻モデルを記憶させ、これらの言葉を音声入力することによってナビゲーション操作を行う（特許文献２参照）。
【００１１】
例えば、自動車の運転席に座っている使用者が、マイクロホンに対して音声入力を開始し、“目的地”である“自宅”を音声入力することにより、音声認識装置からナビゲーション装置の処理手段が音声を解析し、ディスプレイ装置に対して自宅周辺地図を表示する。これにより、使用者は、目的地として自宅を認識したことを確認することができ、引き続き使用者が“そこに”と音声入力すると、上述した“自宅”を目的地として設定してナビゲーション（誘導）を開始する。
【００１２】
また、同様に、音声入力により操作を可能としたものとしては、階層化された辞書構造を適用した認識辞書を備え、その階層化された認識辞書を利用して音声入力用ウインドウ内に表示された発声画面案内に基づいて目的地を階層的に絞り込んでいる（特許文献３参照）。
【００１３】
例えば、その目的地を管轄している警察署名をマイクロホンに向かって発声すると、そのマイクロホンに入力された音声をデジタル音声信号に変換し、音声認識部によって音韻の特徴量（例えば、ケプストラム係数）を抽出すると共に、その抽出結果に基づいて複合類似度法等によって音声信号を音声ラベルに変換した後に、この音声ラベルを離散隠れマルコフモデル（ＨＭＭ）法等によって認識辞書に登録されている検索項目を示す単語毎のモデルと照合することで、最も類似性の高い単語から第５位迄の音声認識結果（認識候補）を表示し、以下、階層的に目的地を絞り込む。
【００１４】
これに対し、例えば、プリンタや複写機等の画像形成装置にあっては、その多機能化に伴って設定する機能項目が増大している。
【００１５】
即ち、原稿サイズや用紙サイズの指定、複写（印刷）部数の設定、片面・両面等のような一般的な印刷形態の機能項目以外に排紙ビンやカセット設定等があり、特に画像形成装置がプリンタ機能・複写機能・ＦＡＸ機能・スキャナ機能等を備えた複合機であった場合、各種機能毎の機能（例えば、ＦＡＸ機能におけるデータ送信先情報の設定等）に対応する機能項目があるため、その項目数はさらに多岐に及ぶ。
【００１６】
しかしながら、操作者が液晶タッチパネルのパネル表示を参照しながら所望の操作が可能な機能設定画面まで遷移させるには多くの工程が必要となる。
【００１７】
このため、上述した音声ガイダンスを聴取しながら設定操作を行ったのでは、音声を聞いてから操作を行うこととなり、複雑な工程を伴う設定は困難である。また、頻繁に使用しないような、カセット設定や表示言語設定などは、設定すべき機能項目、すなわち、キーワードが分かっているにも関わらず、所望の機能設定画面を表示するまでに時間がかかり、煩雑さを増大させていた。
【００１８】
また、上述した階層的に機能項目を音声入力するものでは、画像形成装置のような表示と操作の両方を行うための液晶タッチパネルは小型化の傾向にあることから、機能項目の全てを表示パネル部の一画面中に表示することは困難で、複数頁に跨ったり、階層分割をより細かくする必要がある。
【特許文献１】特開２００３−１２２１９９号公報
【特許文献２】特開平１１−１４２１６５号公報
【特許文献３】特開平１０−０２１２５４号公報
【発明の開示】
【発明が解決しようとする課題】
【００１９】
ところが、上述した画像形成装置のように、表示エリアの小さい表示パネル部１０を採用した場合、上述した「再コピー」モードのように、機能項目によっては次画面に移行しないと選択することができないというように作業が非効率であった。
【００２０】
また、このような操作を音声入力によって行うように設定しても、階層的に機能項目を音声入力するだけで、表示パネル部１０のタッチパネル機能を利用するかしないかの差でしかなく、操作段階数は実質的に同じで、設定操作の煩雑性を解消することはできなかった。
【００２１】
従って、音声ガイダンスを行うものや音声入力を行うものにあっては、何れの方式にあっても手動入力と同様の操作を音声入力によって行うことができることを目的としており、特に、表示画面の一画面中に表示できない多数の機能項目から所望の機能項目を選択するには、機能項目の選択設定を段階的にする必要があるうえ、所望の機能項目を選択する際に、その機能項目によっては次画面（次頁）操作等を行う必要が発生し、操作に手間を要するといった問題は解消することができなかった。
【００２２】
そこで、本発明は、上記事情を考慮し、所望の機能設定画面を容易に遷移表示させることができ、作業性を向上することができる操作表示装置、操作表示プログラム及び画像形成装置を提供することを目的とする。
【課題を解決するための手段】
【００２３】
本発明の操作表示装置は、表示パネル部に複数頁に跨って複数の機能項目を切替表示可能に表示させるパネル制御部と、前記表示パネル部に設けられたキーワード表示部に機能項目名を文字入力させる文字入力部と、前記表示パネル部に表示可能な複数の機能項目に対応したキーワードを記憶した記憶部と、前記文字入力部で入力された機能項目名と前記記憶部に記憶されたキーワードとを比較して一致若しくは類似する機能を優先付けして選択する検索処理部と、該検索処理部で一致若しくは類似する機能が存在していた場合に前記表示パネル部の表示状態をその機能設定画面に遷移表示させたうえでその機能設定に応じた装置本体機能を制御するシステム制御部と、を備えていることを特徴とする。
【００２４】
この際、前記文字入力部は、音声入力部と、該音声入力部に入力された音声を認識してその識別結果を前記キーワード表示部に表示させる音声認識部と、を備えていることを特徴とする。
【００２５】
また、本発明は上記した何れかの構成からなる操作表示装置と、該操作表示装置を利用して設定された装置本体機能を実行する動作部と、を採用した電子機器とすることができる。
【００２６】
また、本発明の操作表示プログラムは、キーワード表示部を備えた表示パネル部に複数頁に跨って複数の機能項目を切替表示可能に表示させる表示ステップと、利用者によって入力されたキーワードを前記表示パネル部に表示するキーワード表示ステップと、利用者によって確定されたキーワードに対応する機能設定画面が存在するか検索される検索ステップと、確定されたキーワードに対応する機能設定画面が存在していた場合にその機能設定画面を表示する機能設定画面表示ステップと、をコンピュータに実行させることを特徴とする。
【発明の効果】
【００２７】
本発明の操作表示装置、電子機器及び操作表示プログラムによれば、所望の機能設定のための機能設定画面を容易に遷移表示することができ、作業性を向上することができる。
【発明を実施するための最良の形態】
【００２８】
次に、本発明の一実施形態に係る操作表示装置を画像形成装置に適用し、図面を参照して説明する。
【００２９】
図１は本発明の一実施形態に係る操作表示装置を備えた電子機器としての画像形成装置の斜視図、図２は本発明の一実施形態に係る操作表示装置のブロック説明図、図３は本発明の一実施形態に係る操作表示装置の遷移表示例の説明図、図４は本発明の一実施形態に係る操作表示装置のフロー図である。
【００３０】
図１に示すように、本発明の一実施形態に係る操作表示装置を備えた電子機器としての画像形成装置１は、装置本体２の前面から引き出し可能な複数段の用紙トレイユニット３，４，５，６と、装置本体２の一方の側面から開閉可能な手差し用紙トレイ７と、装置本体２の他方の側面から突出した排紙トレイ８と、複写機・ファクシミリ・スキャナとして原稿を読み取る際の自動原稿送り装置（ＡＤＦ）９と、タッチパネル機能を備えた表示パネル部１０と、この表示パネル部１０のタッチパネル機能と併用して各種機能等の設定・選択操作を行うボタンスイッチ方式の操作部１１とを備えている。
【００３１】
また、画像形成装置１の内部には、図２に示すように、表示パネル部１０の表示状態を制御するパネル制御部２０と、マイクロホンなどの音声入力部２１と、音声入力部２１から入力された音声をデジタル信号等の音声信号に変換して認識する音声認識部２２と、少なくとも表示パネル部１０に表示可能な複数の機能項目に対応したキーワードを記憶した記憶部（ＲＯＭ）２３と、パネル制御部１２に制御されると共に音声認識部２２で認識した音声信号と記憶部１５に記憶したキーワードとを比較して一致若しくは類似する機能を優先付けして選択する検索処理部２４と、画像形成装置１のシステム全体にわたる設定等の橋渡し制御を行うシステム制御部２５と、画像形成装置１とネットワーク接続されたパーソナルコンピュータ（図示せず）等から送信された印刷指令データを受信するデータ受信部２６と、ＡＤＦ９を利用して原稿を読み取ると共にその読み取った原稿画像に基づいて画像データを生成するスキャナ部２７と、システム制御部２５に橋渡制御された設定に応じてデータ受信部２６で受信した印刷指令データやスキャナ部２７で生成された画像データに基づくビットマップデータを生成する描画処理部２８と、描画処理部２８で生成されたビットマップデータに基づいて用紙トレイユニット３〜６等から給紙された搬送シートに画像形成処理を行う印刷部２９とを備えている。尚、描画処理部２８と印刷部２９とは、本発明の操作表示装置を利用して設定された機能を実行する動作部３０となっている。
【００３２】
排紙トレイ８は、ここでは上下左右に変位可能とすることにより、搬送シート（複写稿）を集積する際、その集積量に応じて上下方向に変位し、ソート機能等を用いた場合に集積した搬送シートの仕分けが可能となるように左右に変位する。尚、この排紙トレイ８の変位は公知である。また、排紙トレイ８には、集積した搬送シートの有無を検出する公知のセンサ等が設けられている。
【００３３】
ＡＤＦ９には、読み取り用の原稿がセットされると共に、そのセットされた原稿の有無並びにサイズを自動的に検出する公知のセンサ等が設けられている。また、ＡＤＦ９には、読み取り後の原稿が集積されると共に、その集積された原稿の有無を検出する公知の検出センサが設けられている。
【００３４】
表示パネル１０には、図３に示すように、複数のタブ３１〜３５によって機能設定画面が分割されており、常時（電源投入時等を含む）は基本設定タブ３１が選択されたメイン表示状態となっている。また、この基本設定タブ３１を選択している状態では、音声入力部２１を利用した音声入力モードを開始するための音声入力キー３６が表示されている。さらに、表示パネル１０の上方には、タブ３１〜３５の選択に係わらず表示されるキーワード表示部３７、検索キー３８、やり直しキー３９が表示されている。
【００３５】
パネル制御部２０は、表示パネル部１０に複数のタブ方式で分割して複数の機能設定画面を表示させ且つ一つのタブ内に表示しきれない機能項目を同一タブの次頁以降に切替表示させると共に前記タッチパネル機能を利用して選択された機能項目に対応した機能設定画面を切替表示する。
【００３６】
記憶部２３には、上述した表示パネル部１０に表示可能な複数の機能項目に対応したキーワードを関連付けて記憶していると共に、装置本体２の全般の機能（プリンタ機能・複写機能・ファクシミリ機能・スキャナ機能等）に係わる設定・制御コマンド等が格納されている。
【００３７】
この際、キーワードとしては、表示パネル部１０の各タブ３１〜３５（各タブ３１〜３５の１画面内に表示されない次頁以降分を含む）に表示される各種機能設定画面内に存在する設定可能な機能項目とその機能項目に類似するキーワードを予め設定し、記憶部２３に記憶しておく。
【００３８】
また、音声入力部２１から入力される音声信号は音声認識部２２でテキストデータに変換され、検索処理部２４で各機能設定画面に関連付けられているキーワードと照合されることにより、対応する機能設定画面の検索を行う。そして、その検索がヒット（又は類似）すれば、パネル制御部２０によってそのキーワードと関連付けられている機能設定画面がパネル表示部１０に遷移表示される。
【００３９】
尚、キーワードを除くこれらの制御コンマンドは、データ受信部２６やスキャナ部２７で受信した画像データ並びに表示パネル部１０で設定された設定条件等を一時的に格納するハードディスクやＲＡＭ等に記憶しても良い。
【００４０】
システム制御部２５は、表示パネル部１０のタッチパネル機能を利用して選択又は検索処理部１６の選択機能を利用して選択された機能設定画面を遷移表示したうえで表示パネル部１０のタッチパネル機能を利用して設定された機能と音声入力を利用して設定された機能とを総合した装置本体２の複写機能等を制御する。
【００４１】
次に、本発明の画像形成装置１の機能設定時に音声を利用する場合を図３及び図４を参照しつつ説明する。
【００４２】
（ステップＳ１）
ステップＳ１では、図３の上段図に相当するメイン表示状態で、音声入力による機能設定を行うために音声入力キー３６が押下されたか否かがパネル制御部２０によって判断され、音声入力キー３６が押下された場合にはステップＳ２へと移行し、音声入力キー３６が押下されない場合には音声入力による機能設定に関しては待機状態となる。
【００４３】
（ステップＳ２）
ステップＳ２では、利用者の音声入力によってキーワードが入力されてステップＳ３へと移行される。尚、このステップＳ２において、パネル制御部２０は音声入力がなされるまで待機するが、省エネモードによるタイマ機能等を利用して所定時間が経過した場合にはステップＳ１へとループする。
【００４４】
（ステップＳ３）
ステップＳ３では、音声入力されたキーワードを音声識別部２２で信号処理してテキストデータ化し、そのテキスト文字をキーワード表示部３７に表示（図３の中段図参照）してステップＳ４へと移行する。
【００４５】
（ステップＳ４）
ステップＳ４では、利用者によってキーワード表示部３７に表示されたテキスト文字が所望の機能項目名と一致しているかが確認されたうえで、その利用者によってキーワード表示部３７に表示された機能項目名が正しいことからキーワード表示部３７が押下されたか否かがパネル制御部２０によって判断され、キーワード表示部３７が押下された場合にはステップＳ５へと移行し、利用者によってキーワード表示部３７に表示された機能項目名が誤っているためにやり直しキー３９が押下された場合にはステップＳ１へとループする。
【００４６】
この際、類似する次候補の機能項目名を表示させたい場合には、検索キー３８を押下する度にキーワード表示部３７に機能項目名が優先付けされた順に表示され、キーワード表示部３７に正しい機能項目名が表示された時点でキーワード表示部３７が押下された場合にはステップＳ５へと移行し、検索キー３８を押下して次候補が尽きた時点でステップＳ１へとループする。
【００４７】
（ステップＳ５）
ステップＳ５では、利用者によって正しいと判断された機能項目名（又は直接文字入力された機能項目名）に対応する機能設定画面をＲＯＭ２３に記憶されたキーワードを参照して検索してステップＳ６へと移行する。
【００４８】
（ステップＳ６）
ステップＳ６では、確定されたキーワードと記憶部１５に記憶されたキーワードとが検索処理部２４で比較され、一致する場合にはステップＳ７へと移行し、一致しない場合にはステップＳ８へと移行する。
【００４９】
（ステップＳ７）
ステップＳ７では、パネル制御部２０によって一致した機能設定画面をパネル表示部１０に表示（図３の下段図参照）し、以降、パネル表示部１０のタッチパネル機能等を利用した機能設定を受け付ける。
【００５０】
（ステップＳ８）
ステップＳ８では、一致する機能設定画面が存在しなかったため、パネル制御部２０によってパネル表示部１０にエラー表示をさせた後、ステップＳ１へとループする。
【００５１】
ところで、上記実施の形態では、利用者によって音声入力されたキーワードを一旦テキスト化してキーワード表示部３７に表示させ、所望のキーワードであった場合に実際にそのキーワードに対応する機能設定画面の有無を確認するルーチンで説明したが、利用者によって音声入力されたキーワードから直接機能設定画面の有無を確認しても良い。
【００５２】
以下、このようなルーチンを示した図５を参照して説明する。
【００５３】
（ステップＳ１１）
ステップＳ１１では、図３の上段図に相当するメイン表示状態で、音声入力による機能設定を行うために音声入力キー３６が押下されたか否かがパネル制御部２０によって判断され、音声入力キー３６が押下された場合にはステップＳ１２へと移行し、音声入力キー３６が押下されない場合には音声入力による機能設定に関しては待機状態となる。
【００５４】
（ステップＳ１２）
ステップＳ１２では、利用者の音声入力によってキーワードが入力されてステップＳ１３へと移行される。尚、このステップＳ１２において、パネル制御部２０は音声入力がなされるまで待機するが、省エネモードによるタイマ機能等を利用して所定時間が経過した場合にはステップＳ１１へとループする。
【００５５】
（ステップＳ１３）
ステップＳ１３では、音声入力されたキーワードを音声識別部２２で信号処理した後に、そのキーワードと記憶部１５に記憶したキーワードとを比較し、一致若しくは類似するキーワードが存在するか否かが検索処理部２４で判断され、一致若しくは類似するキーワードが存在している場合にはステップＳ１４へと移行し、一致若しくは類似するキーワードが存在していない場合にはステップＳ１５へと移行する。
【００５６】
（ステップＳ１４）
ステップＳ１４では、一致若しくは類似するキーワードを優先付けしたうえで、最優先のキーワードをキーワード表示部３７に表示（図３の中段図参照）してステップＳ１６へと移行する。
【００５７】
（ステップＳ１５）
ステップＳ１５では、一致若しくは類似するキーワードが存在しなかったことから、パネル制御部２０によってパネル表示部１０にエラー表示をさせた後、ステップＳ１２へとループして再度の音声入力を利用者に促す。
【００５８】
（ステップＳ１６）
ステップＳ１６では、利用者によってキーワード表示部３７に表示されたキーワードが所望の機能項目と一致しているかが確認されたうえで、その利用者によってキーワード表示部３７に表示されたキーワードが正しいことから、キーワード表示部３７が押下されたか否かがパネル制御部２０によって判断され、キーワード表示部３７が押下された場合にはステップＳ１７へと移行し、利用者によってキーワード表示部３７に表示された機能項目が所望の機能項目に対応したキーワードで無いためにやり直しキー３９が押下された場合にはステップＳ１１（又はステップＳ１２）へとループする。
【００５９】
この際、類似する次候補の機能項目名を表示させたい場合には、検索キー３８を押下する度にキーワード表示部３７に機能項目名が表示され、キーワード表示部３７に正しい機能項目名が表示された時点でキーワード表示部３７が押下された場合にはステップＳ１５へと移行し、検索キー３８を押下して次候補が尽きた時点でステップＳ１１へとループする。
【００６０】
（ステップＳ１７）
ステップＳ１７では、パネル制御部２０によって一致した機能設定画面をパネル表示部１０に表示し、以降、パネル表示部１０のタッチパネル機能等を利用した機能設定を受け付ける。
【００６１】
ところで、キーワードが機能設定画面の２層以降の下位層にある場合、図６に示すように、キーワード入力による段階的な遷移表示や直接的な遷移表示、或いはデフォルトでの遷移表示を可能とすることができる。
【００６２】
例えば、上述した「再コピー」と同一層に、「集約」があった場合、利用者が“集約”と音声入力することによりキーワード表示部３７に「集約」が表示され（図６の２段目図参照）、キーワード表示部３７で「集約」を確定して集約設定画面が表示され（図６の３段目参照）た後、パネル表示部１０のタッチパネル機能又は音声入力による“４ｉｎ１”との音声入力することにより「４ｉｎ１」の設定画面を表示（図６の４段目参照）させることが可能である。
【００６３】
尚、図６の３段目に示した集約設定画面で集約設定を行う場合に、音声入力され得るキーワードが“設定なし”“２ｉｎ１”“４ｉｎ１”の３種類であることから、例えば、音声入力で“４ｉｎ１”と入力された時点で図６の４段目に示した「４ｉｎ１」の設定画面を表示し、キーワード表示部３７を利用したキーワード確定操作を省略することができる。
【００６４】
また、利用者が“集約”と音声入力した時点で、デフォルトで「４ｉｎ１」の設定画面を表示（図６の４段目参照）させることも可能である。
【００６５】
さらに、利用者が“集約”の音声入力を省略して“４ｉｎ１”と入力した場合には、図６の２段目のキーワード表示部３７の表示を「４ｉｎ１」として確定した時点で「４ｉｎ１」の設定画面を表示（図６の４段目参照）させることも可能である。
【００６６】
このように、本発明の表示操作装置にあっては、操作者の所望する機能設定画面を表示パネル部１０に即座に遷移表示することができ、その遷移表示された機能設定画面については、操作者が表示パネル部１０のタッチパネル機能を利用した入力により設定を行っても良いし、その機能設定画面に対応する音声ガイダンス等を利用したキー入力若しくは音声入力により設定することができる。
【００６７】
従って、音声入力によるキー呼び出しにより、一覧表示のためのタブ３１〜３５の切り替え操作や、各タブ３１〜３５から所望の設定項目を探して選択操作する手間等を省略することができ、設定操作の簡略化を実現することが可能となる。
【００６８】
この際、音声入力時のキーワードが間違っていたり曖昧であった場合、類似する複数のキーワードをキーワード表示部３７に優先付けして表示することにより、所望の設定項目を容易に検索することができる。また、このキーワードは音声以外に操作部１１等を利用した文字入力でも良い。
【００６９】
ところで、上記実施の形態では、本発明の操作表示装置を画像形成装置１に適用して説明したが、例えば、機能設定画面を利用して動作部３０に変わる動作を実行させる電子機器全般に適用することができ、特に、装置本体等のコンパクト化のために文字入力を容易とするためのフルキーボード等を設置していない電子機器に有用である。
【図面の簡単な説明】
【００７０】
【図１】本発明の一実施形態に係る操作表示装置を備えた電子機器としての画像形成装置の斜視図である。
【図２】本発明の一実施形態に係る操作表示装置のブロック説明図である。
【図３】本発明の一実施形態に係る操作表示装置の遷移表示例の説明図である。
【図４】本発明の一実施形態に係る操作表示装置のフロー図である。
【図５】本発明の一実施形態に係る操作表示装置の他のフロー図である。
【図６】本発明の一実施形態に係る操作表示装置の他の遷移表示例の説明図である。
【図７】従来の操作表示装置の遷移表示例の説明図である。
【符号の説明】
【００７１】
１０…表示パネル部（文字入力部）
１１…操作部（文字入力部）
２０…パネル制御部
２１…音声入力部（文字入力部）
２２…音声認識部（文字入力部）
２３…記憶部（ＲＯＭ）
２４…検索処理部
２５…システム制御部
【図１】
2008180833.tif 000003
【図２】
2008180833.tif 000004
【図３】
2008180833.tif 000005
【図４】
2008180833.tif 000006
【図５】
2008180833.tif 000007
【図６】
2008180833.tif 000008
【図７】
2008180833.tif 000009